(57)【要約】探索されるべきウォーターマークコンテンツ（Ｗ）を有する入力信号（Ｙ′）を受信するための入力部を有するウォーターマーク検出器（２０）を提供する。検出器（２０）の第１処理器（４０）は、特徴的な特性又はフィンガープリント（Ｐ１乃至Ｐｑ）及び関連時間記述子（ｄ１乃至ｄｑ）の対応する集合を識別するために信号の部分（１００，１１０，１２０）を分析するように動作可能である。データベース（５０）への通信リンクは、信号を識別し、オリジナルの信号における部分（１００，１１０，１２０）に対応する対応時間記述子（ＭＴ１乃至ＭＴｑ）を決定するようにデータベース（５０）にフィンガープリントを通信するように備えられている。入力信号（Ｙ′）が対象となっているスケーリングファクターを、時間記述子（ｄ１乃至ｄｑ）と取り出された時間記述子（ＭＴ１乃至ＭＴｑ）との間の差から演算するように第２処理器（２２０）を有する。スケーリングファクターは、信号を再スケーリングし、再スケーリングされた信号（Ｙ′）からウォーターマークを抽出するように用いられる。
2008503134.tif 000002
【特許請求の範囲】
【請求項１】
ウォーターマーク検出に関連してスケーリングファクターを探索する方法であって：
（ａ）探索されるべき潜在的なウォーターマークコンテンツを有する入力信号を受信する段階；
（ｂ）対応する特徴的な特性の集合及び関連する測定時間記述子を識別するように前記入力信号の部分を分析する段階；
（ｃ）前記部分に対応する対応予測時間記述子を決定するように基準データと前記特徴的な特性をマッチングさせる段階；及び
（ｄ）前記入力信号が対象となっているスケーリングファクターを、前記測定時間記述子と前記予測時間記述子との間の差から演算する段階；
を有する方法。
【請求項２】
請求項１に記載の方法であって、対応する再スケーリング入力信号を生成するように、段階（ｄ）において決定された前記スケーリングファクターを用いて前記入力信号を再スケーリングし、次いで、前記再スケーリング入力信号からウォーターマーク情報を抽出する更なる段階を有する、方法。
【請求項３】
請求項２に記載の方法であって、前記ウォーターマーク情報を抽出するための段階（ｄ）からのスケーリングファクターの周りで反復される前記スケーリングファクターを与える更なる段階を有する、方法。
【請求項４】
請求項１に記載の方法であって、前記特徴的な特性の集合は前記入力信号のコンテンツフィンガープリントに対応する、方法。
【請求項５】
請求項１に記載の方法であって、前記入力信号のデータコンテンツをプログラムするために関連するメタデータを識別するように前記特徴的な特性の集合を用いる更なる段階を有する、方法。
【請求項６】
請求項１に記載の方法であって、前記基準データの少なくとも部分は、特徴的な特性の１つ又はそれ以上の集合を受信することに反応してリアルタイムに生成される、方法。
【請求項７】
請求項１に記載の方法であって、段階（ｂ）において、前記部分の少なくとも１つは、１乃至１０秒の範囲内の再生持続時間、好適には、実質的に３秒を有する前記信号の少なくとも１つの小部分に対応する、方法。
【請求項８】
請求項１に記載の方法であって、前記入力信号に与えられる歪み、即ち、時間スケーリングファクター歪み、空間スケーリングファクター歪み、空間フィルタ歪み、時間フィルタ歪みの少なくとも１つを補正する段階（ｄ）において演算される前記スケーリングファクターを備える更なる段階を有する、方法。
【請求項９】
請求項１に記載の方法であって、前記入力信号は、音響、発話、画像及び映像の少なくとも１つを有するマルチメディア信号である、方法。
【請求項１０】
ウォーターマーク検出に関連してスケーリングファクターを探索するように動作するウォーターマーク検出器であって：
（ａ）探索されるべき潜在的なウォーターマークコンテンツを有する入力信号を受信するための入力部；
（ｂ）対応する特徴的な特性の集合及び関連する測定時間記述子を識別するように前記入力信号の部分を分析するための第１処理器；
（ｃ）前記特徴的な特性の集合の基準データとのマッチングが前記部分に対応する対応予測時間記述子を決定するようにするために、データベースに前記特徴的な特性の集合を通信するための前記データベースへの通信リンク；及び
（ｄ）前記入力信号が対象となっているスケーリングファクターを、前記測定時間記述子と前記予測時間記述子との間の差から演算するための第２処理器；
を有する検出器。
【請求項１１】
請求項１０に記載の検出器であって、前記入力信号からウォーターマークコンテンツを抽出するように前記第２処理器により決定された前記スケーリングファクターを適用するように動作可能である、検出器。
【請求項１２】
データベースと通信するように結合可能である請求項１０に記載の検出器を有するウォーターマーク検出システムであって、前記データベースは、入力信号の分析から検出器に伝送可能である特徴的な特性の集合に対応する予測時間記述子を与えるように動作可能であり、前記予測時間記述子は、前記入力信号が対象となっているスケーリングファクターを演算するために前記特徴的な特性の集合に関連付けられる測定時間記述子と共に使用可能であり、前記スケーリングファクターは前記検出器においてウォーターマーク検出を方向付けるために使用可能である、検出システム。
【請求項１３】
請求項１０に記載の検出器に結合可能であるデータベースであって、前記データベースは予測スケーリングファクターに関連するデータと特徴的な特性の関連予測集合とを有し、前記特徴的な特性の関連予測集合は、前記入力信号の分析からもたらされた特徴的な特性の測定集合に前記予測スケーリングファクターを関連付けるように入力信号の分析からもたらされる前記特徴的な特性の測定集合にマッチング可能である、データベース。
【発明の詳細な説明】
【技術分野】
【０００１】
本発明は、スケーリングファクターの探索方法、例えば、ウォーターマーク検出に関連する幾何学的スケーリングファクターを探索する方法に関する。更に、本発明はまた、その方法を実施するために備えられている装置に関する。更に、本発明は、その方法を実施するための演算装置に実行可能なソフトウェア及びそれらの方法で用いるスケーリングファクター予測を与えるように動作するデータベースに関する。
【背景技術】
【０００２】
データコンテンツ、例えば、インターネットのような通信ネットワークを介して配信され並びにＣＤ及びＤＶＤのようなデータ担体に記録された音響及び映像データコンテンツの非認定コピーは、過去１０年間に音響及び映像業界に多大な経済的損失を与えた原因となっている。そのようなコピーを防止するように試みるように、ウォーターマーク特徴が、音響データコンテンツ及び映像データコンテンツの両方に、従来、含まれている。例えば、そのような非認定伝送を防止するように、著作権法の下で、法医学調査が、データコンテンツの非認定伝送の商業ルートを判定するために及びそれにより対応策を講じるために取られる。それらの調査は、しばしば、そのようなウォーターマーク特徴の検出を含む。特に、法医学の目的のために、データコンテンツに組み込まれたウォーターマーク特徴は、ウォーターマーク特徴のデータペイロードと呼ばれる識別情報を伝達する。
【０００３】
音響及び映像データコンテンツを知覚できる程度に劣化させないように、ウォーターマーク特徴が、そのようなデータコンテンツに軽度に組み込まれる。軽度に組み込まれたウォーターマーク特徴は、特に、ウォーターマーク特徴が軽度に組み込まれた音響又は映像データコンテンツが、ウォーターマーキングされた音響又は映像データコンテンツにおける情報損失をもたらす処理段階の対象となっている場合、検出はしばしば困難である。
【０００４】
ウォーターマークを組み込む及び取り出す方法については知られている。例えば、そのような方法については、国際公開第０３／０９６３３７号パンフレットに記載されている。その特許文献においては、“フィンガープリンティング”は、所定の信号コンテンツのロバストな知覚可能である特徴を抽出し、タイトル、アーティスト及び類似する情報が記憶されているデータベースにおいて抽出される特徴を探索することによりマルチメディア信号を識別するための技術として定義されている。更に、上記特許文献においてはまた、ウォーターマークは、控え目に信号にペイロードデータを組み込むための技術であると定義されている。上記特許文献においては、そのようなウォーターマーキング及びフィンガープリンティングの同時の適用を有する方法について記載されている。その方法においては、オリジナルのフィンガープリントＭ（ｉ）は、ホスト信号Ｘに組み込まれ、そのとき、データベースに記憶される。次に、ウォーターマークＷ（ｉ）が、オリジナルのホスト信号Ｘに含まれるフィンガープリントＭ（ｉ）と僅かに異なるフィンガープリントＭ′（ｉ）の対応する修正された信号Ｘ′を生成するように、ホスト信号Ｘに組み込まれる。その修正された信号Ｘ′が受信器において受信されるとき、フィンガープリントＭ′（ｉ）は受信された信号Ｘ′から抽出され、そのとき、データベースに対して調べるために用いられる。データベースは、オリジナルのフィンガープリントＭ（ｉ）を送信することにより反応する。受信器は、そのとき、ウォーターマークＷ（ｉ）を得るように、修正されたフィンガープリントＭ′（ｉ）のオリジナルのフィンガープリントＭ（ｉ）を減算する。
【０００５】
ウォーターマーク検出は、特に、例えば、ＨＤ映像プログラムデータコンテンツにおけるように、オリジナルの高品質のデータコンテンツを維持するように軽度に組み込まれるとき、実際に実施することは困難である。音響及び映像データコンテンツの幾何学的スケーリングは、ウォーターマークペイロード情報が高信頼性を有して抽出されるように成っているスケーリングファクターを連続して決定する前に、可能な幾何学的スケーリングファクターの範囲について、ウォーターマーク検出器はデータコンテンツを繰り返して処理するようにするため、軽度のウォーターマーク特徴を抽出することを困難にする。それ故、今日のウォーターマーク検出器は、多くの場合、音響及び／視聴データコンテンツにおいて検出可能でないウォーターマーク特徴を表す可能性のあるスケーリングのような、幾何学的にスケーリングされたデータコンテンツに対処するように、十分効率的なウォーターマーク検出方法を用いていない。
【０００６】
定義としては、音響記録の場合の“幾何学的スケーリングファクター”における変化は、対応する記録速度に一致しない再生速度を利用すること、それにより、再生コンテンツにおいて同じ相対的比率により全ての周波数をシフトさせることに関するものである。更に、映像コンテンツの場合の“幾何学的スケーリングファクター”における変化は、１つ又はそれ以上の方向、例えば、実質的に水平方向及び／又は実質的に鉛直方向における空間的スケーリングにおける変化に関するものである。
【特許文献１】国際公開第０３／０９６３３７号パンフレット
【発明の開示】
【発明が解決しようとする課題】
【０００７】
本発明の目的は、ウォーターマーク検出と関連するスケーリングファクターを探索する方法を提供することである。
【課題を解決するための手段】
【０００８】
本発明の第１の特徴にしたがって、ウォーターマーク検出と関連するスケーリングファクターを探索する方法であって：
（ａ）探索されるべき潜在的なウォーターマークコンテンツを有する入力信号を受信する段階；
（ｂ）特徴的な特性の対応する集合及びそれに関連付けられる測定された時間記述子を識別するように、信号の一部を分析する段階；
（ｃ）それらの一部に対応する対応予測時間記述子を決定するように基準データと特徴的な特性の集合をマッチングさせる段階；及び
（ｄ）測定された時間記述子と予測された時間記述子との間の差から、入力信号が対象となっているスケーリングファクターを演算により求める段階；
を有する方法を提供することである。
【０００９】
本発明は、その方法が、改善されたウォーターマーク検出速度及びスケーリングファクター変化のロバストな尺度を提供することができる。
【００１０】
“マッチング”は、相関関係、期間の比較、最小二乗誤差分析又は何れの関連データの他の方法の１つ又はそれ以上を有すると解釈される。
【００１１】
好適には、その方法は、対応する再スケーリングされた入力信号を生成するように段階（ｄ）において決定されるスケーリングファクターを用いて入力信号を再スケーリングし、次いで、再スケーリングされた入力信号からウォーターマーク情報を抽出する更なる段階を有する。そのような再スケーリングは、入力信号がウォーターマーク検出器に供給される前に再スケーリングされることが可能であり、それにより、ウォーターマーク検出の信頼性及び／又は速度を改善することが可能である。更に、標準的なウォーターマーク検出ハードウェアを使用することが可能であり、それにより、既知の従来のウォーターマーク検出器を用いて、その方法を更に簡単に実施することができる。
【００１２】
好適には、ウォーターマーク検出の信頼性及び精度を更に改善するために、その方法は、ウォーターマーク情報を抽出するために段階（ｄ）からのスケーリングファクターの周りで反復されるスケーリングファクターを適用する更なる段階を有する。
【００１３】
好適には、その方法においては、特徴的な特性の集合は、入力信号のコンテンツフィンガープリントに対応する。そのようなフィンガープリントは、有利であることに、例えば、視覚特性、マーカー特性、入力信号に含まれるタギング特性等の特性に対応する。
【００１４】
好適には、可能な有用な付加的補助情報をユーザに与えるように、その方法は、入力信号のデータコンテンツをプログラムに関するメタデータを識別するように特徴的な特性の集合を用いる更なる段階を有する。
【００１５】
好適には、その方法においては、基準データの少なくとも部分が、特徴的な特性の１つ又はそれ以上の集合を受信することに反応してリアルタイムに生成される。そのような基準データのリアルタイムの生成は、有利であることに、メモリに記憶する必要がある情報の量を減少させる。
【００１６】
好適には、その方法の段階（ｂ）においては、それら部分の少なくとも１つは、１乃至１０秒の範囲内の、好適には、実質的に３秒の再生持続時間を有する信号の少なくとも１つの小部分に対応する。そのような持続時間は、スケーリングファクターの尺度の潜在的に高速の決定及び／又はウォーターマークコンテンツの抽出を可能にする点で有利である。
【００１７】
好適には、その方法は、入力信号に与えられる歪み、即ち、時間スケーリングファクター歪み、空間スケーリングファクター歪み、空間フィルタ歪み、時間フィルタ歪みの少なくとも１つを補正するように、段階（ｄ）において演算されるスケーリングファクターを備える更なる段階を有する。そのような歪みは、ウォーターマーク検出を回避するカウンターファイターによりしばしば与えられる複雑な歪みのタイプに相当する。そのような歪みのアドレッシングに対処する方法の能力は、その方法を更にロバストにすることができる。
【００１８】
好適には、その方法においては、入力信号は、音響、発話、画像及び映像の少なくとも１つを有するマルチメディア信号である。
【００１９】
本発明の第２の特徴にしたがって、ウォーターマーク検出に関連するスケーリングファクターを探索するように動作可能なウォーターマーク検出器であって：
（ａ）探索される潜在的なウォーターマークコンテンツを有する入力信号を受信するための入力部；
（ｂ）特徴的な特性の対応する集合及びそれに関連付けられる測定された時間記述子を識別するように、信号の部分を分析するための第１処理器；
（ｃ）基準データと特徴的な特性の集合をマッチングさせることによりそれらの部分に対応する対応予測時間記述子を決定することを可能にするために、データベースに前記特徴的な特性の集合を通信するためのデータベースへの通信リンク；及び
（ｄ）測定された時間記述子と予測された時間記述子との間の差から、入力信号が対象となっているスケーリングファクターを演算により求めるための第２処理器；
を有する検出器を提供することである。
【００２０】
本発明の第３の特徴にしたがって、データベースと通信するように結合可能である本発明の第２の特徴にしたがった検出器を有するウォーターマーク検出システムであって、前記データベースは、入力信号の分析から検出器において引き出せる特徴的な特性の集合に対応する予測された時間記述子を与えるように動作可能であり、前記予測された時間記述子は、入力信号が対象となっているスケーリングファクターを計算するために特徴の集合に関連する測定された時間記述子と共に使用可能であり、前記スケーリングファクターは、検出器においてウォーターマーク検出を方向付けるために使用可能である、ウォーターマーク検出システムを与える。
【００２１】
本発明の第４の特徴にしたがって、本発明の第２の特徴にしたがった検出器に結合可能であるデータベースであって、前記データベースは、予測されたスケーリングファクター及び関連付けられた予測された特徴的な特性の集合に関係するデータを有し、前記関連付けられた予測された特徴的な特性の集合は、入力信号の分析から導き出された、測定された特徴的な特性の集合に、入力信号の分析から導き出された前記測定された特徴的な特性の集合に前記予測されたスケーリングファクターを関連付けるようにマッチング可能である、データベースを与える。
【００２２】
本発明の特徴は、本発明の範囲から逸脱することなく、何れの組み合わせに組み合わされることが可能であることが理解されるであろう。
【発明を実施するための最良の形態】
【００２３】
図１においては、ウォーターマークエンコーダ１０を示している。エンコーダ１０は、入力信号Ｘ及びウォーターマークデータを受信するように動作する。更に、エンコーダ１０は、次式（式１）にしたがって、対応するウォーターマーク信号Ｙを出力するように動作する。
【００２４】
Ｙ＝Ｘ＋Ｗ                                            式１  
ウォーターマーク検出器２０は、それからウォーターマークＷを抽出するために信号Ｙ′を受信するように動作する。一般に、検出器２０は、信号Ｙ′からウォーターマークＷを定期的に抽出することができる。
【００２５】
しかしながら、信号Ｙは、信号Ｙ′を生成するための１つ又はそれ以上の処理段階、例えば、量子化、圧縮、加速又は減速による周波数スケーリング音声コンテンツ、１つ又はそれ以上の画像空間方向における空間映像コンテンツの１つ又はそれ以上に対しての対象であり、その結果、信号Ｙに対して変形した信号Ｙ′を得る。映像コンテンツの空間スケーリングは、例えば、信号Ｙにあるウォーターマークの特徴を変形させる空間バンドパスフィルタによる信号Ｙの処理を有する。更に、時間的スケーリング、又は周波数スケーリングは、信号Ｙ′の生成において用いられるサンプリング周波数の修正に効果的に対応する。検出器２０が、それらの変形の種類の１つ又はそれ以上を処理するようにデザインされているとき、ウォーターマークデータＷは、検出される可能性はあるが、高信頼性を有するようには検出されず、又は、最悪の場合、検出されない。
【００２６】
検出器２０を改善するために、既知の一方法は、対象のスケール範囲で信号Ｙ′におけるウォーターマークの全探索を行うことに基づいている。そのような全探索は、ウォーターマーキングされたデータコンテンツにおいてウォーターマークを検出しない確率を低下させる可能性がある。しかしながら、所定の検出閾値については、そのような全探索はまた、偽陽性ウォーターマーク検出を生じる可能性があり、例えば、非ウオーターマーキングデータコンテンツにおいてウォーターマークの存在を誤って検出する可能性がある。ウォーターマーク検出のための検出閾値の修正は、ロバスト性が小さいそのような全探索をレンダリングする可能性がある。
【００２７】
検出閾値は、ウォーターマークデータＷを検出するように、信号Ｙ′において実行されるスケール探索テストの数にしたがって、好適に設定される。更に、時間的スケーリングをアドレス指定する効率的な方法は、推定された非スケーリングウォーターマークの記憶されている中間的推定を利用する。この効率的な方法は、式２にしたがって設定する予測時間における信号Ｙ′の再サンプリングを効果的に有し、
Ｎ＝（ηｍａｘ−ηｍｉｎ）／Δ                            式２
ここで、
Δ＝探索グリッドサイズ
ηｍａｘ＝最大時間スケール
ηｍｉｎ＝最小時間スケール
である。
【００２８】
ウォーターマークデータの探索は、ウォーターマークデータＷの検出で用いる最適な幾何学的スケーリングファクターを識別するようにコンピュータが要求する実行されるべき複数の関係を必要とする。上記の短所は、例えば、時間的スケーリングに関して、次のような幾つかの因子のために生じる。
（ａ）実際には、しばしば、０．０１％のオーダーにある変動のような、アナログデジタル（ＡＤ）変換器及びデジタルアナログ（ＤＡ）変換器のクロック速度における変動、及び
（ｂ）放送局による速度変調、例えば、より美的に見える又は印象付けられるコマーシャルレコーディングを表現するように、０％乃至４％の範囲内で、コマーシャルレコーディング、例えば、ポップソングの再生速度を速くすることは一般的な方法である。
【００２９】
本発明の実施形態においては、検出器２０はフィンガープリント抽出装置４０を有するように備えられている。“フィンガープリント”は、例えば、データコンテンツに関連したメタデータに、パラメータ、タイムスタンプ／時間記述子、タイトル、アーティスト及び類似する情報が記憶されているデータベースにおける探索に用いられることが可能なロバストな知覚特徴又は特性であると定義される。好適には、抽出装置４０は、信号Ｙ′を生成するときに、信号Ｙに適用された−５％乃至＋５％の範囲内の時間スケーリング変化をロバストに処理することが可能である。それ故、装置４０は、装置４０により抽出されたデータコンテンツフィンガープリントがデータベース５０に記憶されている対応するデータと関連付けられることができるように、データベース５０と通信するように好適に結合されている。
【００３０】
検出器２０の動作について、ここでは、図２を参照して説明する。検出器２０は信号Ｙ′を受信する。装置４０は、持続時間ｄ１乃至ｄｑのそれぞれの１００乃至１２０の一連のｑの抜粋を抽出し、ここで、ｑは１より大きい整数である。更に、ｑの抜粋１００乃至１２０について、装置４０は、フィンガープリント抽出として、対応する特性Ｐ１乃至Ｐｑの集合を決定し、即ち、主特性を区別し、各々の特性の集合は、関連抜粋のフィンガープリントに対応しているとみなされる。持続時間ｄ１乃至ｄｑは、好適には、各々１秒乃至１０秒の範囲内にあり、更に好適には、実質的に３秒である。
【００３１】
装置４０は、次に、データベース５０に対して特性Ｐ１乃至Ｐｑの少なくとも１つと通信し、それらの特性の各々は、上記のようなフィンガープリントを表す。データベース５０は、抜粋１００乃至１２０がもたらされる記録を決定するように、データベース５０に記憶されている特性Ｔ１乃至ＴＮのＮ個の記録を有する装置４０から受信された特性Ｐ１乃至Ｐｑの集合を実質的に適合させるように試みる。
【００３２】
特徴的な特性Ｐ１乃至Ｐｑの集合は、信号Ｙ′に対応するデータベース５０に記憶されているプログラムコンテンツメタデータを識別するために任意に使用可能である信号Ｙ′の一連のフィンガープリントを規定する。そのようなメタデータの識別は、関連データコンテンツ、例えば、他の関連映画又は音響記録のためのデータベース５０を探索し、ユーザ情報を補足的に供給する幾つかの可能性のあるアプリケーションを有する。
【００３３】
本発明にしたがって、そのデータベースは、ここで、抜粋１００乃至１２０がもたらされた記録から１つ又はそれ以上の時間表示ＭＴ１乃至ＭＴｑを決定する。時間表示ＭＴ１乃至ＭＴｑはまた、“時間スタンプ”として知られている。時間表示ＭＴ１乃至ＭＴｑは、実質的に２０ｍｓｅｃの精度でデータベース５０から取り出されることが可能である。データベース５０から装置４０に供給される時間表示ＭＴ１乃至ＭＴｑと装置４０により決定される持続時間ｄ１乃至ｄｑを比較することにより、速度変化が信号Ｙに対する信号Ｙ′において生じたかどうかを決定することが可能である。例えば、２つの連続した時間表示ＭＴ１及びＭＴ２がデータベースから装置４０により得られるとき、装置４０は、（ＭＴ１及びＭＴ２）を第１抜粋の持続時間ｄ１と比較する。持続時間ｄ１＝３の抜粋のフィンガープリントがデータベースに適用され、データベースが（ＭＴ２−ＭＴ１）＝３秒をレポートする条件下では、速度変化は起こらない、即ち、スケーリング変化は起こらない。しかしながら、データベースが、時間サンプルＭＴ１及びＭＴ２が２．８８ｓｅｃ離れていることをレポートする場合、４％の速度減少が、信号Ｙ′の生成において信号Ｙに適用される必要がある。それ故、時間スケーリングファクターの適切な推定は、データベース５０に関連して装置４０により行われるフィンガープリント検出からもたらされる時間表示ＭＴから計算されることが可能である。
【００３４】
上記のように、今日のウォーターマーク検出器は、±１％より大きい速度変化が信号ＹとＹ′との間で生じるとき、ウォーターマーク情報を検出することができないようになっていて、速度変動に対して耐性が少ない傾向にある。±１％までの速度変化に対してさえ、今日のウォーターマーク検出器は、演算資源に関連して要求される比較的大きい探索数、例えば、代表的には、数百回の探索数を実行する必要がある。本発明においては、装置４０により実行されるフィンガープリント抽出に応じてデータベース５０から予測されるスケーリングファクターを導き出すことは、続くウォーターマーク検出が演算されたスケーリングファクターの周りで任意に反復されることを可能にする。そのような方法は、一桁だけ、例えば、１０乃至２０倍だけウォーターマーク検出速度を大きくすることができる。例としては、従来のウォーターマーク検出器に適用されるときの方法は、２０倍まで、従来の検出器の動作速度を大きくすることができることが実験的研究により確認された。
【００３５】
図３は、上記方法を実行するように、装置４０に関連して動作する検出器２０の模式図である。検出器２０は、指紋抽出器２００であって、最適な指紋検出に対応する指紋抽出器２００から幾何学的スケーリングファクター情報ｓｃ（ｆｐ）を受信するため及びより適切な範囲においてウォーターマークコンテンツの探索を方向付けるようにこの情報を用いるために、それ故、ウォーターマーク検出の高速化及び高信頼性化を改善するために、ウォーターマーク検出装置２２０に結合された装置４０において実施される、指紋抽出器２００を有する。
【００３６】
図４には、検出器２０において実行される機能が、符号３００、３１０及び３２０で示されている。機能３１０は、記憶されている特性Ｔ１乃至ＴＮと適合するためにデータベース５０に特性Ｐ１乃至Ｐｑのそれらの集合を通信するため及び信号Ｙ′についてＭＴにより表されている予測される時間スタンプのデータベース５０の集合から続いて受信するために、入力信号Ｙ′から特徴的な特性Ｐ１乃至Ｐｑの１つ又はそれ以上の集合を抽出するための速度変化予測機能である。更に、機能３００は、信号Ｙ′の対応する再スケーリングされた信号ＹＰを生成するように、信号Ｙ′を処理する逆スケーリング操作である。更に、機能３２０は、組み込まれているウォーターマークコンテンツを検出するように、再スケーリングされた信号ＹＰを処理するウォーターマーク検出器機能である。機能３２０は、ウォーターマークコンテンツＷが再スケーリングされた信号ＹＰにおいて最も信頼性高く検出される条件を決定するように、それ故、予測されるスケーリングファクターＭＴに関連して、信号Ｙが対応する修正された信号Ｙ′の生成において信号Ｙが対象となっているスケーリングファクターを決定するように、予測スケーリングファクターＭＴの周りで反復するように操作可能である。
【００３７】
それ故、結論として、検出器２０は、信号Ｙ′においてウォーターマークを検出する方法を実行するように、例えば、信号Ｙ′がマルチメディア信号であるように備えられる。その方法は、信号Ｙ′からシンガープリント特性を抽出し、予測時間スケーリングファクターＭＴを得るようにデータベース５０においてそれらの特性を適合させる第１段階を有する。更に、その方法はまた、信号Ｙ′に組み込まれたウォーターマークコンテンツＷを抽出するように、信号Ｙ′においてこの予測時間スケーリングファクターの周りで反復探索を実行するために、予測スケーリングファクターＭＴを用いる第２段階を有する。信号Ｙ′から抽出された特徴的な特性Ｐ１乃至Ｐｑの集合と適合させるためにデータベース５０に記憶されたデータ自体は、好適には、指紋データの形である。更に、信号Ｙ、Ｙ′は、好適には、マルチメディア信号、例えば、音響、発話、画像及び映像の少なくとも１つである。
【００３８】
信号Ｙ、Ｙ′間の時間スケーリングファクター検出のアドレッシングの問題以外に、検出器２０は、代替の又は付加的な上記方法を用いる、即ち、検出器２０において実行されるより適切に方向付けられた反復ウォーターマーク検出により後続されるデータベース５０からのスケーリングファクターの評価を得るように指紋検出を用いる、同様の方式の幾何学的変形のアドレッシング空間スケーリングファクター変化及び他の形を与えることが可能である。
【００３９】
上記の本発明の実施形態を、請求項に記載された本発明の範囲から逸脱することなく、修正することが可能であることを理解することができる。
【００４０】
“を有する”のような表現は、詳細説明及び関連請求項を解釈するときに、非限定的であるとみなされる、即ち、明示的に記載されていない他のアイテム又は構成要素はまた、存在することが可能であると解釈される。
【００４１】
本発明については、次のように要約することができる。探索されるウォーターマークコンテンツ（Ｗ）を有する入力信号（Ｙ′）を受信するために入力を有するウォーターマーク検出器（２０）を備えている。検出器（２０）の第１処理器（４０）は、特徴的な特性又は指紋（Ｐ１乃至Ｐｑ）及び関連時間記述子（ｄ１乃至ｄｑ）の対応する集合を識別するように信号（Ｙ′）の一部（１００、１１０、１２０）を分析するように動作する。データベース（５０）への通信リンクは、信号を識別するように、及びオリジナルの信号における一部（１００、１１０、１２０）に対応する対応する時間記述子（ＭＴ１乃至ＭＴｑ）を決定するように、データベース（５０）に指紋を通信するために備えられている。第２諸機器（２２０）は、入力信号（Ｙ′）が対象となっているスケーリングファクターを、時間記述子（ｄ１乃至ｄｑ）と取り出された時間記述子（ＭＴ１乃至ＭＴｑ）の間の差から演算するために備えられている。スケーリングファクターは、その信号の再スケーリング及び再スケーリングされた信号（Ｙ′）からの抽出のために使用可能である。
【図面の簡単な説明】
【００４２】
【図１】本発明にしたがった幾何学的スケーリングファクターを探索する方法を実施することができるウォーターマークシステムの模式図である。
【図２】図１に関する方法を実施するためのフィンガープリント抽出の模式図である。
【図３】本発明にしたがったウォーターマーク検出器の模式図である。
【図４】図３の検出器において実行される処理機能を示すフローズである。
【図１】
2008503134.tif 000003
【図２】
2008503134.tif 000004
【図３】
2008503134.tif 000005
【図４】
2008503134.tif 000006
【国際調査報告】
2008503134.tif 000007
2008503134.tif 000008
2008503134.tif 000009
2008503134.tif 000010